(57)【要約】【課題】商品の期限表示を切らしてしまうことを防止する。【解決手段】入力手段と、生成手段と、印刷手段と、を備える。前記入力手段は、商品販売データ処理に際して処理対象となっている商品の品質を保証する期限を含む商品情報を入力する。前記生成手段は、前記商品情報を入力した年月日を前記商品の購入日として、前記商品情報に追加することで期限情報を生成する。前記印刷手段は、前記期限情報をシンボルコードに変換して印刷する。【選択図】図１
2014238703.tif 000002
【特許請求の範囲】
【請求項１】
商品販売データ処理に際して処理対象となっている商品の品質を保証する期限を含む商品情報を入力する入力手段と、
前記商品情報を入力した年月日を前記商品の購入日として、前記商品情報に追加することで期限情報を生成する生成手段と、
前記期限情報をシンボルコードに変換して印刷する印刷手段と、
を備える商品販売データ処理装置。
【請求項２】
前記印刷手段は、前記商品の分類ごとに前記シンボルコードを分割して印刷する、
請求項１に記載の商品販売データ処理装置。
【請求項３】
シンボルコードに変換された期限情報を撮像部で読み取る読取手段と、
前記読取手段が読み取った前記期限情報を記憶する記憶手段と、
前記期限情報に含まれている品質を保証する期限から任意の日数と、前記期限情報に含まれている購入日から任意の日数と、を設定する設定手段と、
前記設定手段が設定した任意の日数となっている商品の有無を判定する判定手段と、
前記判定手段が任意の日数となっている商品があると判定した場合に、当該商品の品質を保証する期限について警告する警告手段と、
を備える携帯端末。
【請求項４】
前記設定手段は、前記商品の分類ごとに予備日を設定する、
請求項３に記載の携帯端末。
【請求項５】
期限情報を記憶する記憶手段を有する商品販売データ処理装置を、
商品販売データ処理に際して処理対象となっている商品の品質を保証する期限を含む商品情報を入力する入力手段と、
前記商品情報を入力した年月日を前記商品の購入日として、前記商品情報に追加することで期限情報を生成する生成手段と、
前記期限情報をシンボルコードに変換して印刷する印刷手段と、
として機能させるためのプログラム。
【請求項６】
期限情報を記憶する記憶手段を有する携帯端末を、
シンボルコードに変換された期限情報を撮像部で読み取る読取手段と、
前記期限情報に含まれている品質を保証する期限から一定期間を予備日として設定する設定手段と、
前記設定手段が設定した前記予備日となっている商品の有無を判定する判定手段と、
前記判定手段が前記予備日となっている商品があると判定した場合に、当該商品の品質を保証する期限について警告する警告手段と、
として機能させるためのプログラム。
【発明の詳細な説明】
【技術分野】
【０００１】
本発明の実施形態は、商品販売データ処理装置、携帯端末及びプログラムに関する。
【背景技術】
【０００２】
従来、冷蔵庫内の購入商品の数量や賞味期限等をキーボードやバーコードリーダを用いて入力して管理する在庫管理装置に対して、携帯端末でアクセスして賞味期限等を確認することができるようにした技術が開示されている。
【発明の概要】
【発明が解決しようとする課題】
【０００３】
しかしながら、従来技術によれば、冷蔵庫などに収納する際にキーボード又は、バーコードリーダを用いて個々の商品の賞味期限等を入力する。即ち、一つ一つの商品ごとに入力を実施しなければならず処理が煩雑になっていた。
【課題を解決するための手段】
【０００４】
実施形態の商品販売データ装置は、入力手段と、生成手段と、印刷手段と、を備える。前記入力手段は、商品販売データ処理に際して処理対象となっている商品の品質を保証する期限を含む商品情報を入力する。前記生成手段は、前記商品情報を入力した年月日を前記商品の購入日として、前記商品情報に追加することで期限情報を生成する。前記印刷手段は、前記期限情報をシンボルコードに変換して印刷する。
【図面の簡単な説明】
【０００５】
【図１】図１は、実施形態にかかる期限管理システムの構成全体を示す構成図である。
【図２】図２は、ＰＯＳ端末の要部構成を示すブロック図である。
【図３】図３は、ＰＯＳ端末の機能構成を示す機能ブロック図である。
【図４】図４は、ＰＯＳ端末によるレシートの商品販売データ処理を示すフローチャートである。
【図５】図５は、期限情報のデータフォーマットの一例の説明図である。
【図６】図６は、携帯端末の要部構成を示すブロック図である。
【図７】図７は、携帯端末の機能構成を示す機能ブロック図である。
【図８】図８は、携帯端末による商品登録処理を示すフローチャートである。
【図９】図９は、携帯端末おける期限管理プログラムのメニュー画面の一例を示す正面図である。
【図１０】図１０は、コード読み取り画面の一例を示す正面図である。
【図１１】図１１は、携帯端末による商品分類ごとの設定処理を示すフローチャートである。
【図１２】図１２は、分類設定画面の一例を示す正面図である。
【図１３】図１３は、携帯端末による商品登録処理を示すフローチャートである。
【図１４】図１４は、冷蔵庫表示画面における警告画面の一例を示す正面図である。
【図１５】図１５は、冷蔵庫表示画面の一例を示す正面図である。
【図１６】図１６は、冷蔵庫表示画面における詳細表示画面の一例を示す正面図である。
【図１７】図１７は、冷蔵庫表示画面における操作画面の一例を示す正面図である。
【図１８】図１８は、冷蔵庫表示画面における詳細設定画面の一例を示す正面図である。
【発明を実施するための形態】
【０００６】
本実施の一形態を図面に基づいて説明する。
【０００７】
図１は、実施形態にかかる期限管理システムの構成全体を示す構成図である。図１に示すように、期限管理システムは、ＰＯＳ（Point  of  Sales）端末１００と、ＰＯＳ端末１００が印刷したレシート２００と、レシート２００に印刷されている期限情報２０１を読み取る携帯端末３００とを有する。
【０００８】
まず、ＰＯＳ端末１００の構成及び機能について説明を行う。
【０００９】
ＰＯＳ端末１００は、量販店等の店舗で一般的に用いられるＰＯＳ端末と同等の構成である。即ち、図１に示すように、ＰＯＳ端末１００の本体１０１の上部には、店員用のディスプレイ１０２と客用のディスプレイ１０３とが設けられる。各ディスプレイ１０２、１０３は、ＬＣＤ（Liquid  Crystal  Display）或いはタッチパネルを表面に配設したＬＣＤによって構成され、商品名や商品の金額、一取引の合計金額等を表示する。また、本体１０１の上面には、キーボード１０４が配設されており、現金決済又はクレジット決済等の決済方法を選択する現金決済キーやクレジット決済キー等が設けられる。さらに、本体１０１の内部にはレシート等を印刷するプリンタ１０５が設けられる。プリンタ１０５によって印刷されたレシート用紙は、本体１０１の上部に設けられたレシート発行口１０６から発行される。さらに、本体１０１には、スキャナ１０７が接続される。店員は、スキャナ１０７を用いて商品に付されているバーコードを読み取る。なお、スキャナ１０７が読み取る対象は、２次元コードなどであってもよい。
【００１０】
図２は、ＰＯＳ端末１００の要部構成を示すブロック図である。ＰＯＳ端末１００は、ＣＰＵ（Central  Processing  Unit）１１０と、ＲＯＭ（Read  Only  Memory）１１１と、ＲＡＭ（Random  Access  Memory）１１２と、時計部１１３と、通信Ｉ／Ｆ１１４と、記憶部１１５と、第１の表示コントローラ１１６と、第２の表示コントローラ１１７と、キーボードコントローラ１１８と、プリンタコントローラ１１９と、スキャナコントローラ１２０とを備える。
【００１１】
ＣＰＵ１１０は、ＰＯＳ端末１００全体の制御、即ち、各種演算や各構成要素部に対する各種処理を制御する。また、ＲＯＭ１１１は、ＰＯＳ端末１００における各種処理を実行するための処理プログラムやその処理プログラムで用いる画像データなどの各種ファイルを記憶する。また、ＲＡＭ１１２は、入力データや表示データなどの作業中のデータを一時的に記憶したり、ＰＯＳ端末１００の起動時にＲＯＭ１１１から読み出された制御プログラムや売上ファイルなどを一時的に記憶したりする。また、ＲＡＭ１１２は、商品に付されているバーコードを読み取ることで生成された後述する期限情報２０１を一時的に記憶する。
【００１２】
時計部１１３は、現在の年月日、及び時分を計時する。
【００１３】
通信Ｉ／Ｆ（インタフェース）１１４は、ＬＡＮなどの内部ネットワークを介して接続されたストアサーバ（不図示）と各種データを送受信する。
【００１４】
記憶部１１５は、期限管理プログラムＰ１と、商品マスタ１１５ａとを記憶する。期限管理プログラムＰ１は、ＣＰＵ１１０と協働で期限管理における各種処理を実行するプログラムである。商品マスタ１１５ａは、店舗が扱う商品名、価格、商品分類、及び期限表示に関する情報である。
【００１５】
なお、ＰＯＳ端末１００で期限管理プログラムＰ１は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００１６】
また、ＰＯＳ端末１００で実行される期限管理プログラムＰ１を、インターネット等のネットワークに接続されたコンピュータ上に格納し、ネットワーク経由でダウンロードさせることにより提供するように構成しても良い。また、ＰＯＳ端末１００で実行される期限管理プログラムＰ１をインターネット等のネットワーク経由で提供または配布するように構成しても良い。
【００１７】
キーボードコントローラ１１８は、キーボード１０４の各種操作キー毎に対応したキー信号が入力され、その入力されたキー信号をＣＰＵ１１０に出力する。
【００１８】
第１の表示コントローラ１１６は、店員用のディスプレイ１０２の画面表示を制御する。また、第１の表示コントローラ１１６は、店員用のディスプレイ１０２に設けられたタッチパネルからのタッチ信号をＣＰＵ１１０に出力する。また、第２の表示コントローラ１１７は、客用のディスプレイ１０３の画面表示を制御する。また、第２の表示コントローラ１１７は、客用のディスプレイ１０３に設けられたタッチパネルからのタッチ信号をＣＰＵ１１０に出力する。
【００１９】
プリンタコントローラ１１９は、レシート２００やジャーナルを印字するプリンタ１０５を制御する。スキャナコントローラ１２０は、スキャナ１０７を制御する。
【００２０】
次に、ＣＰＵ１１０が期限管理プログラムＰ１と協働で実施する各種制御について説明を行う。ここで、図３は、ＰＯＳ端末１００の機能構成を示す機能ブロック図である。
【００２１】
ＣＰＵ１１０は、期限管理プログラムＰ１と協働することで読み取り部１１０ａと、期限情報生成部１１０ｂと、印刷部１１０ｃとして機能する。各機能について、ＰＯＳ端末１００による各処理をフローチャートと合わせて説明を行う。ここで、図４は、ＰＯＳ端末１００によるレシート２００の商品販売データ処理を示すフローチャートである。
【００２２】
入力手段である読み取り部１１０ａは、スキャナコントローラ１２０を介してスキャナ１０７を制御することで商品に付されているバーコードを読み取るか否かを判定する（ステップＳ１）。バーコードを読み取らない場合に（ステップＳ１；Ｎｏ）、読み取り部１１０ａは、ステップＳ５に移行させる。一方、バーコードを読み取った場合に（ステップＳ１；Ｙｅｓ）、読み取り部１１０ａは、商品マスタ１１５ａを参照して、商品コードに関連付けられた商品名と、価格と、商品分類と、期限表示とを含む商品情報を得る（ステップＳ２）。そして、ＣＰＵ１１０は、商品名や価格などから売上処理を実行する（ステップＳ３）。
【００２３】
生成手段である期限情報生成部１１０ｂは、時計部１１３が示している現在の年月日である購入日と、商品情報とから期限情報２０１を生成してＲＡＭ１１２に記憶させる（ステップＳ４）。ここで、図５は、期限情報２０１のデータフォーマットの一例の説明図である。期限情報２０１は、商品コードと、商品名と、商品分類と、価格と、購入日と、期限表示とを有する。商品コードとは、商品を識別するための商品ごとにある固有の情報である。商品名とは、商品の名称である。商品分類は、商品の分類を示す情報である。商品分類とは、例えば、野菜類、肉類、冷凍食品、デザート類、調味料などの分類である。購入日とは、商品を購入した年月日を示す情報である。期限表示は、賞味期限又は消費期限のどちらかの情報である。
【００２４】
賞味期限とは、定められた方法により保存した場合において、期待されるすべての品質の保持が十分に可能であると認められる期限を示す年月日をいう。ただし、当該期限を超えた場合であっても、これらの品質が保持されていることがあるものとする。消費期限とは、定められた方法により保存した場合において、腐敗、変敗その他の品質の劣化に伴い安全性を欠くこととなるおそれがないと認められる期限を示す年月日をいう。
【００２５】
その後、ＣＰＵ１１０は、決済キーが押下されるか否かを判定する（ステップＳ５）。押下されない場合に（ステップＳ５；Ｎｏ）、ＣＰＵ１１０は、ステップＳ１に移行して再度処理を実行する。押下された場合に（ステップＳ５；Ｙｅｓ）、ＣＰＵ１１０は、売上合計金額の算出などの締め処理を実行する（ステップＳ６）。
【００２６】
印刷手段である印刷部１１０ｃは、商品分類ごとに期限情報２０１を分割する（ステップＳ７）。その後、印刷部１１０ｃは、分割された期限情報２０１を、ＱＲコード（登録商標）を分けてレシート２００に印刷する（ステップＳ８）。その際に、印刷部１１０ｃは、店舗の従業員によって、予め設定されている商品分類の期限情報２０１を、ＱＲコード（登録商標）として印刷する。これにより、一般的に、保存食品などの期限表示管理をする重要性の低い商品の期限情報２０１の読み込みを避けることができる。さらに、情報量が減ることによりＱＲコード（登録商標）が大きくなってしまうことを防ぐことができレシート２００の面積を効率的に使用することができる。
【００２７】
次に、図１に示されているレシート２００について説明を行う。
【００２８】
レシート２００は、通常のレシートと同様に売上情報が印字されている。また、商品分類ごとに期限情報２０１が印字されている。そして、期限情報２０１がどの商品分類によるものであるかが印字されている。
【００２９】
次に、携帯端末３００の構成及び機能について説明を行う。
【００３０】
図６は、携帯端末３００の要部構成を示すブロック図である。携帯端末３００は、ＣＰＵ３０１と、ＲＯＭ３０２と、ＲＡＭ３０３と、記憶部３０４と、通信Ｉ／Ｆ３０５と、ディスプレイ３０６と、タッチパネル３０７と、初期ボタン３０８と、時計部３０９と、撮像部３１０とを備える。
【００３１】
ＣＰＵ３０１は、携帯端末３００全体の制御、即ち、各種演算や各構成要素部に対する各種処理を制御する。また、ＲＯＭ３０２は、携帯端末３００における各種処理を実行するための処理プログラムやその処理プログラムで用いる画像データなどの各種ファイルを記憶する。また、ＲＡＭ３０３は、入力データや表示データなどの作業中のデータを一時的に記憶したり、携帯端末３００の起動時にＲＯＭ３０２から読み出された制御プログラムや売上ファイルなどを一時的に記憶したりする。
【００３２】
記憶部３０４には、期限管理プログラムＰ３と、期限情報２０１と、設定情報３０４ａとが記憶される。期限管理プログラムＰ３は、ＣＰＵ３０１と協働で、後述する期限表示等の管理と、各種表示を行うプログラムである。期限情報２０１は、撮像部３１０がレシート２００に印字されているＱＲコード（登録商標）を読み取ることで記憶される。設定情報３０４ａは、後述する期限管理に関する各種設定である。
【００３３】
通信Ｉ／Ｆ３０５は、各種公衆網の接続に使用される。ディスプレイ３０６は、各種情報を表示させる。タッチパネル３０７、及び初期ボタン３０８は、携帯端末３００の操作に使用される。また、初期ボタン３０８は、携帯端末３００の起動直後の初期画面を表示させるボタンである。時計部３０９は、現在の年月日、及び時分を計時する。撮像部３１０は、ＣＣＤ（Charge  Coupled  Device）イメージセンサやＣＯＭＳ（Complementary  Metal  Oxide  Semiconductor）イメージセンサなどであり、ＱＲコード（登録商標）の読み取りに使用される。
【００３４】
なお、携帯端末３００で期限管理プログラムＰ３は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００３５】
また、携帯端末３００で実行される期限管理プログラムＰ３を、インターネット等のネットワークに接続されたコンピュータ上に格納し、ネットワーク経由でダウンロードさせることにより提供するように構成しても良い。また、携帯端末３００で実行される期限管理プログラムＰ３をインターネット等のネットワーク経由で提供または配布するように構成しても良い。
【００３６】
次に、ＣＰＵ３０１が期限管理プログラムＰ３と協働で実施する各種制御について説明を行う。ここで、図７は、携帯端末３００の機能構成を示す機能ブロック図である。
【００３７】
ＣＰＵ３０１は、期限管理プログラムＰ３と協働することで、撮像制御部３０１ａと、表示制御部３０１ｂと、設定制御部３０１ｃと、判定制御部３０１ｄと、警告制御部３０１ｅとして機能する。
【００３８】
コード読取手段である撮像制御部３０１ａは、撮像部３１０を制御して、ＱＲコード（登録商標）で構成された期限情報２０１を読み取り、記憶部３０４へ記憶させる。表示制御部３０１ｂは、タッチパネル３０７、及び初期ボタン３０８からの入力に対する応答として各種画面の表示を制御する。設定手段である設定制御部３０１ｃは、各商品の各種設定を記憶部３０４の設定情報３０４ａに記憶させる。また、設定制御部３０１ｃは、各商品の使用が完了した場合に、客からの操作に従い期限情報２０１から削除する。判定手段である判定制御部３０１ｄは、各商品について使用を促す画面を表示させるか否かを判定する。警告手段である警告制御部３０１ｅは、判定制御部３０１ｄが使用を促す画面を表示させると判定した場合に、商品の使用を促す画面を表示して警告する。なお、警告方法は、音声により警告を行ってもよい。
【００３９】
次に、携帯端末３００による各処理についてフローチャートを用いて説明する。なお、前述のように、初期ボタン３０８は、押下されると状態に関わらず、期限管理プログラムＰ３を終了して携帯端末３００の起動直後の初期画面を表示させる。よって、初期ボタン３０８が押下された場合の説明は、省略する。
【００４０】
まず、携帯端末３００による各商品の期限情報２０１の登録について説明を行う。図８は、携帯端末３００による商品登録処理を示すフローチャートである。
【００４１】
携帯端末３００のＣＰＵ３０１は、客からの操作に従い、期限管理プログラムＰ３を起動する（ステップＳ１１）。その後、表示制御部３０１ｂは、メニュー画面Ａを表示させる（ステップＳ１２）。
【００４２】
ここで、図９は、携帯端末３００における期限管理プログラムＰ３のメニュー画面Ａの一例を示す正面図である。メニュー画面Ａは、コードの読み取りボタンＡ１と、分類設定ボタンＡ２と、冷蔵庫表示ボタンＡ３とを備える。コードの読み取りボタンＡ１は、レシート２００に印刷されたＱＲコード（登録商標）の読み取りを行う画面を表示させるボタンである。分類設定ボタンＡ２は、商品分類ごとに各種設定を行う画面を表示させるボタンである。冷蔵庫表示ボタンＡ３は、現在の冷蔵庫の状態のイメージ図を表示させるボタンである。
【００４３】
その後、コードの読み取りボタンＡ１が押下されると、表示制御部３０１ｂは、コード読み取り画面Ｂを表示させる（ステップＳ１３）。ここで、図１０は、コード読み取り画面Ｂの一例を示す正面図である。（ａ）は、コードの読み取り中のコード読み取り画面Ｂである。コードの読み取り中のコード読み取り画面Ｂは、コード枠Ｂ１と、キャンセルボタンＢ２とを備える。
【００４４】
コード枠Ｂ１の枠内にＱＲコード（登録商標）を映すことで、撮像制御部３０１ａは、ＱＲコード（登録商標）を読み取る（ステップＳ１４）。ＣＰＵ３０１は、キャンセルボタンＢ２が押下されたか否かを判断する（ステップＳ１５）。キャンセルボタンＢ２が押下されると（ステップＳ１５；Ｙｅｓ）、表示制御部３０１ｂは、ＱＲコード（登録商標）の読み取りを中断してメニュー画面Ａを表示させる（ステップＳ１２）。
【００４５】
（ｂ）は、コードの読み取り完了後のコード読み取り画面Ｂである。キャンセルボタンＢ２が押下されなければ（ステップＳ１５；Ｎｏ）、ＣＰＵ３０１は、コードの読み取りが完了したか否かを判断する。コードの読み取りが完了すると（ステップＳ１６；Ｙｅｓ）、表示制御部３０１ｂは、キャンセルボタンＢ２の代わりにＯＫボタンＢ３を表示させ（ステップＳ１７）、ＣＰＵ３０１は、ＯＫボタンＢ３が押下されたか否かを判断する（ステップＳ１８）。ＯＫボタンＢ３が押下されるまで、判断を繰り返し、ＯＫボタンＢ３が押下されると（ステップＳ１８；Ｙｅｓ）、表示制御部３０１ｂは、終了してメニュー画面Ａを表示させる（ステップＳ１９）。ＣＰＵ３０１は、コードの読み取りが完了していないと判断すると（ステップＳ１６；Ｎｏ）、ステップＳ１５に戻す。
【００４６】
次に、分類設定ボタンＡ２が押下された場合について説明を行う。商品は、商品の分類によって期限表示が異なっている場合が多い。例えば、肉類と冷凍食品類とでは、期限表示は大きく異なる。そこで、商品の使用を促す警告を発するまでの日数は、商品の分類ごとに設定することができる。また、期限表示が付されていない商品などは、購入日からの経過日数で品質を判断する場合がある。そこで、商品の使用を促す警告を発するまでの日数は、購入日から設定期間経過後と、期限表示から設定期間前とから選択して設定することができる。
【００４７】
図１１は、携帯端末３００による商品分類ごとの設定処理を示すフローチャートである。
【００４８】
携帯端末３００のＣＰＵ３０１は、客からの操作に従い、期限管理プログラムＰ３を起動する（ステップＳ２１）。その後、表示制御部３０１ｂは、メニュー画面Ａを表示させる（ステップＳ２２）。その後、分類設定ボタンＡ２が押下されると、表示制御部３０１ｂは、分類設定画面Ｃを表示させる（ステップＳ２３）。
【００４９】
ここで、図１２は、分類設定画面Ｃの一例を示す正面図である。分類設定画面Ｃは、商品分類欄Ｃ１と、購入日欄Ｃ２と、期限表示欄Ｃ３と、経過後チェックボックスＣ４と、経過前チェックボックスＣ５と、キャンセルボタンＣ６と、ＯＫボタンＣ７とを備える。
【００５０】
商品分類欄Ｃ１は、設定を行う商品分類を入力する欄である。購入日欄Ｃ２は、商品の購入日から商品の使用を促す警告を発するまでの日数を入力する欄である。期限表示欄Ｃ３は、商品の期限表示から商品の使用を促す警告を発するまでの日数を入力する欄である。経過後チェックボックスＣ４は、購入日欄Ｃ２で設定した日が経過後に警告を発するか否かを設定するチェックボックスである。経過前チェックボックスＣ５は、期限表示欄Ｃ３で設定した日以後に警告を発するか否かを設定するチェックボックスである。
【００５１】
商品の使用を促す警告は、購入日欄Ｃ２にて設定された日、又は期限表示欄Ｃ３にて設定された日から、商品が削除されるまで期間だけ発せられる。両方のチェックボックスが選択された場合には、商品の使用を促す警告は、購入日欄Ｃ２にて設定された日、又は期限表示欄Ｃ３にて設定された日の何れか早い方から、商品が削除されるまでの期間だけ発せられる。両方のチェックボックスが選択されていない場合には、商品の使用を促す警告は、発せられない。なお、図１２は、購入日から７日後には警告は発せず、期限表示５日前にのみ警告を発する設定である。
【００５２】
図１１に戻り、ＣＰＵ３０１は、キャンセルボタンＣ３が押下されたか否かを判断する（ステップＳ２４）。キャンセルボタンＣ６が押下されると（ステップＳ２４；Ｙｅｓ）、表示制御部３０１ｂは、設定を中断してメニュー画面Ａを表示させる（ステップＳ２２）。キャンセルボタンＣ６が押下されなければ（ステップＳ２４；Ｎｏ）、ＣＰＵ３０１は、メニュー画面ＡにてＯＫボタンＣ７が押下されたか否かを判断する（ステップＳ２５）。ＣＰＵ３０１は、ＯＫボタンＣ７が押下されるまで、判断を繰り返し、ＯＫボタンＣ７が押下されると（ステップＳ２５；Ｙｅｓ）、設定制御部３０１ｃは、入力した設定を設定情報３０４ａに反映させる（ステップＳ２６）。その後、表示制御部３０１ｂは、終了してメニュー画面Ａを表示させる。
【００５３】
次に、冷蔵庫表示ボタンＡ３が押下された場合について説明を行う。図１３は、携帯端末３００による商品登録処理を示すフローチャートである。
【００５４】
携帯端末３００のＣＰＵ３０１は、客からの操作に従い、期限管理プログラムＰ３を起動する（ステップＳ３１）。その後、表示制御部３０１ｂは、メニュー画面Ａを表示させる（ステップＳ３２）。
【００５５】
冷蔵庫表示ボタンＡ３が押下されると、判定制御部３０１ｄは、商品の使用を促す警告を発する日に達した商品の有無を判定する（ステップＳ３３）。商品の使用を促す警告を発する日に達した商品がある場合（ステップＳ３３；Ｙｅｓ）に、警告制御部３０１ｅは、警告画面Ｈを表示させる（ステップＳ３４）。商品の使用を促す警告を発する日に達した商品がない場合（ステップＳ３３；Ｎｏ）、ＣＰＵ３０１は、ステップＳ３６に移行させる。ここで、図１４は、冷蔵庫表示画面Ｄにおける警告画面Ｈの一例を示す正面図である。警告画面Ｈは、冷蔵庫表示画面Ｄを表示させた際に、商品の使用を促す画面である。具体的には、警告期間に達した商品があると判定した場合に、警告制御部３０１ｅは、購入日から経過した日、期限表示までの日の少なくとも何れか一方を表示させることによって商品の使用を促す。
【００５６】
また、警告画面Ｈは、ＯＫボタンＨ１を備える。図１４は、卵の購入日から１０日経過したことを示す警告画面Ｈである。ＯＫボタンＨ１が押下されるまで、判断を繰り返し、ＯＫボタンＨ１が押下されると（ステップＳ３５；Ｙｅｓ）、警告制御部３０１ｅは、警告画面Ｈを消去する。
【００５７】
その後、表示制御部３０１ｂは、冷蔵庫表示画面Ｄにおける冷蔵庫イメージＤ１と、商品イメージＤ２と、補足欄Ｄ３とを表示させる（ステップＳ３６）。ここで、図１５は、冷蔵庫表示画面Ｄの一例を示す正面図である。冷蔵庫表示画面Ｄは、現在登録されている商品の期限表示などを表示させる画面である。冷蔵庫表示画面Ｄは、冷蔵庫イメージＤ１と、商品イメージＤ２と、補足欄Ｄ３とを備える。
【００５８】
冷蔵庫イメージＤ１は、現在の冷蔵庫をイメージした画像であり登録後、使用が完了していない商品が表示される。商品イメージＤ２は、現在登録されている商品のイメージ像である。そして、商品イメージＤ２のイメージ画像は、予め記憶されているイメージ画像の中から選択される。冷蔵庫表示画面Ｄは、イメージ画像を用いることで現在ある商品を視覚的に把握させることができる。さらに、冷蔵庫表示画面Ｄは、画像を用いることで子供からお年寄りまで簡単に使用させることができる。補足欄Ｄ３は、冷蔵庫表示画面Ｄを補足する内容を表示させる欄である。図１５の補足欄Ｄ３は、冷蔵庫表示画面Ｄの操作について表示している図である。
【００５９】
冷蔵庫表示画面Ｄの商品イメージＤ２がダブルタップされた場合に（ステップＳ３７；Ｙｅｓ）、表示制御部３０１ｂは、詳細表示画面Ｅと、補足欄Ｄ３にコメントと、を表示させる（ステップＳ３８）。ここで、図１６は、冷蔵庫表示画面Ｄにおける詳細表示画面Ｅの一例を示す正面図である。図１６は、アスパラガスについてダブルタップされた状態を示している図である。詳細表示画面Ｅは、期限表示と購入日との少なくとも何れか一方を表示させる。図１６は、アスパラガスには期限表示が付されていなかったため、購入日のみを表示している図である。また、商品イメージＤ２がダブルタップされた商品にコメントが設定されていると、表示制御部３０１ｂは、補足欄Ｄ３にコメントを表示させる。補足欄Ｄ３は、商品の残量や、メモ書きを設定できることから利便性が向上する。図１６の補足欄Ｄ３は、アスパラガスの残りが２本であることを示している図である。
【００６０】
冷蔵庫表示画面Ｄの商品イメージＤ２がダブルタップされず（ステップＳ３７；Ｎｏ）、冷蔵庫表示画面Ｄの商品イメージＤ２がタップされた場合に（ステップＳ３９；Ｙｅｓ）、表示制御部３０１ｂは、補足欄Ｄ３に代わり操作画面Ｆを表示させる（ステップＳ４０）。冷蔵庫表示画面Ｄの商品イメージＤ２がタップされなければ（ステップＳ３９；Ｎｏ）、ＣＰＵ３０１は、ステップＳ３６に戻す。ここで、図１７は、冷蔵庫表示画面Ｄにおける操作画面Ｆの一例を示す正面図である。図１７は、干物についてタップされた状態を示している図である。操作画面Ｆは、削除ボタンＦ１と、表示ボタンＦ２と、詳細設定ボタンＦ３とを備える。
【００６１】
詳細設定ボタンＦ３が押下された場合に（ステップＳ４１）、表示制御部３０１ｂは、詳細設定画面Ｇを表示させる（ステップＳ４２）。
【００６２】
ここで、図１８は、冷蔵庫表示画面Ｄにおける詳細設定画面Ｇの一例を示す正面図である。詳細設定画面Ｇは、商品ごとに、商品の使用を促す警告を発するまでの日数とコメントとを設定する画面である。詳細設定画面Ｇは、購入日欄Ｇ１と、期限表示欄Ｇ２と、経過後チェックボックスＧ３と、経過前チェックボックスＧ４と、コメント欄Ｇ５と、キャンセルボタンＧ６と、ＯＫボタンＧ７とを備える。
【００６３】
購入日欄Ｇ１は、商品の購入日から商品の使用を促す警告を発するまでの日数を入力する欄である。期限表示欄Ｇ２は、商品の期限表示から商品の使用を促す警告を発するまでの日数を入力する欄である。経過後チェックボックスＧ３は、購入日欄Ｇ１で設定した日が経過後に警告は発するか否かを設定するチェックボックスである。経過前チェックボックスＧ４は、期限表示欄Ｇ２で設定した日以後に警告を発するか否かを設定するチェックボックスである。コメント欄Ｇ５は、商品の残量や、商品を使用して作ろうと思っていた料理名などのメモを入力する欄である。
【００６４】
商品の使用を促す警告は、購入日欄Ｇ１にて設定された日、又は期限表示欄Ｇ２にて設定された日から、商品が削除されるまでの期間だけ発せられる。両方のチェックボックスが選択された場合には、商品の使用を促す警告は、購入日欄Ｇ１にて設定された日、又は期限表示欄Ｇ２にて設定された日の何れか早い方から、商品が削除されるまでの期間だけ発せられる。両方のチェックボックスが選択されていない場合には、商品の使用を促す警告は、発せられない。また、分類設定画面Ｃの設定と、詳細設定画面Ｇの設定との間で矛盾が生じた場合は、詳細設定画面Ｇの設定が優先的に適用される。なお、図１８は、購入日から５日後にのみ警告を発し、期限表示から３日前には警告を発しない設定である。
【００６５】
キャンセルボタンＧ６が押下されると（ステップＳ４３；Ｙｅｓ）、表示制御部３０１ｂは、終了してメニュー画面Ａを表示させる。ＣＰＵ３０１は、ＯＫボタンＧ７が押下されるまで判断を繰り返し、ＯＫボタンＧ７が押下されると（ステップＳ４４；Ｙｅｓ）、設定制御部３０１ｃは、入力した設定を設定情報３０４ａに反映させる（ステップＳ４５）。その後、表示制御部３０１ｂは、終了してメニュー画面Ａを表示させる。なお、図１８は、購入日欄Ｇ１から５日後には警告は発して、期限表示３日前には警告を発しない設定である。また、コメントは、アスパラガスの残量について「残り２本」と入力された状態である。
【００６６】
詳細設定ボタンＦ３が押下されず（ステップＳ４１；Ｎｏ）、削除ボタンＦ１が押下された場合に（ステップＳ４６；Ｙｅｓ）、設定制御部３０１ｃは、タップした商品イメージＤ２の商品を管理対象から削除する（ステップＳ４７）。その後、表示制御部３０１ｂは、終了してメニュー画面Ａを表示させる。
【００６７】
削除ボタンＦ１が押下されず（ステップＳ４６；Ｎｏ）、表示ボタンＦ２が押下された場合に（ステップＳ４８；Ｙｅｓ）、表示制御部３０１ｂは、詳細表示画面Ｅと、補足欄Ｄ３にコメントとを表示させて一連の処理を終了する（ステップＳ４９）。表示ボタンＦ２が押下されなければ（ステップＳ４８；Ｎｏ）、ＣＰＵ３０１は、ステップＳ４０に戻す。
【００６８】
以上のように、本実施形態によれば、ＰＯＳ端末１００は、購入対象の商品の期限情報２０１をＱＲコード（登録商標）に変換してレシートに印刷する。その後、携帯端末３００は、レシート２００のＱＲコード（登録商標）を読み取ることで購入対象の商品の期限情報２０１を把握することができる。そして、携帯端末３００は、期限表示から設定された期間となった場合に、商品の使用を促す警告を発する。これにより、客は、商品の期限表示を切らしてしまうことを防止することができる。
【００６９】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００７０】
なお、上記実施形態では、ＰＯＳ端末１００は、期限情報２０１をＱＲコード（登録商標）に変換している。しかし、期限情報２０１は、ＱＲコード（登録商標）以外のコードシンボルであってもよい。例えば、一次元バーコードであってもよいし、ＱＲコード（登録商標）以外の２次元バーコードであってもよい。
【００７１】
なお、上記実施形態では、期限情報２０１は、携帯端末３００に記憶している。しかし、期限情報２０１は、クラウド上のサーバに記憶することで、複数人が期限情報２０１を更新することができる形態としてもよい。この場合には、携帯端末３００で読み取った期限情報２０１は、クラウド上のサーバに記憶させる。そして、サーバは、予め設定された者に対してのみ、期限情報２０１の削除、追加などを許可すればよい。
【００７２】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７３】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００７４】
１００  ＰＯＳ端末
１１０  ＣＰＵ
１１２  ＲＡＭ
１０５  プリンタ
１０７  スキャナ
２００  レシート
３００  携帯端末
３０１  ＣＰＵ
３０４  記憶部
Ａ      メニュー画面
Ｂ      コード読み取り画面
Ｃ      分類設定画面
Ｄ      冷蔵庫表示画面
Ｅ      詳細表示画面
Ｆ      操作画面
Ｇ      詳細設定画面
Ｈ      警告画面
【先行技術文献】
【特許文献】
【００７５】
【特許文献１】特開２０１３−３７５０３号公報
【図１】
2014238703.tif 000003
【図２】
2014238703.tif 000004
【図３】
2014238703.tif 000005
【図４】
2014238703.tif 000006
【図５】
2014238703.tif 000007
【図６】
2014238703.tif 000008
【図７】
2014238703.tif 000009
【図８】
2014238703.tif 000010
【図９】
2014238703.tif 000011
【図１０】
2014238703.tif 000012
【図１１】
2014238703.tif 000013
【図１２】
2014238703.tif 000014
【図１３】
2014238703.tif 000015
【図１４】
2014238703.tif 000016
【図１５】
2014238703.tif 000017
【図１６】
2014238703.tif 000018
【図１７】
2014238703.tif 000019
【図１８】
2014238703.tif 000020